(57)【要約】【課題】排気口から排出される洗浄槽内の空気が低温低湿になることにより、排気口から排出される空気が洗浄槽内の温度と勘違いし高温状態の洗浄槽を開放し被洗浄物を取出すことをなくし、より安全性の向上した食器洗い乾燥機を提供すること。【解決手段】本発明の食器洗い乾燥機は、低温低湿排気機能を備えるとともに、筐体８内に設けられ洗浄槽２内の温度を検知する温度検知手段１０と、温度表示部１１とを備え、温度表示部１１は、食器洗い乾燥機の前面に設けるとともに、温度検知手段１０が検知した洗浄槽２内の温度を表示するようにしたもので、乾燥性能と排気口７付近の結露低減機能と低温低湿排気を維持し、かつ、洗浄槽２内の温度を表示することにより、製品の使用者の安全性、効率性の向上が可能となる。【選択図】図１
2010136792.tif 000002
【特許請求の範囲】
【請求項１】
筐体と、前記筐体内に設けられるとともに被洗浄物が収納される洗浄槽と、前記洗浄槽内の洗浄水を加熱する加熱手段と、前記洗浄槽内の空気を前記筐体外に排出する排気口と、第１の経路を介して前記洗浄槽内に外気を供給する送風手段と、前記排気口と前記洗浄槽とを連通する第２の経路と、前記第１の経路から分岐して前記第２の経路と接続する第３の経路と、前記第１の経路から前記第３の経路が分岐する分岐部に設けられた風量分配手段と、前記筐体内に設けられ前記洗浄槽内の温度を検知する温度検知手段と、温度表示部とを備え、前記温度表示部は、食器洗い乾燥機の前面に設けるとともに、前記温度検知手段が検知した前記洗浄槽内の温度を表示する食器洗い乾燥機。
【請求項２】
温度表示部は、温度検知手段が所定の温度を検知した時、光による点灯もしくは点滅にて表される構成とした請求項１記載の食器洗い乾燥機。
【請求項３】
温度表示部は、温度検知手段が所定の温度を検知した時、色分けされて表される構成とした請求項１または２に記載の食器洗い乾燥機。
【請求項４】
温度表示部は、排気口より排出される空気の温度と洗浄槽内の温度との差を表示する構成とした請求項１〜３のいずれか１項記載の食器洗い乾燥機。
【発明の詳細な説明】
【技術分野】
【０００１】
本発明は、キッチン等に設置され被洗浄物の収納及び自動洗浄、乾燥を行う食器洗い乾燥機に関するものである。
【背景技術】
【０００２】
従来、この種の食器洗い乾燥機は、洗浄行程中に多湿の排気が排気口から発生し、排気口周りのキッチン機器や食器洗い乾燥機本体に結露が発生する。また、乾燥行程に移行する際、加熱すすぎ工程で高温に熱せられた空気が排気口から排出され、使用者に危険をおよぼす恐れがある。その対策として排気経路内に新たに設けた排気補助手段から外気を取り込み、庫内排気と混合することで、排気中の温度と湿度を下げて、発生する結露量を低減させるとともに、使用者の危険を回避する構成としている（例えば、特許文献１参照）。
【０００３】
図５は、特許文献１に記載された従来の食器洗い乾燥機を示すものである。図５に示すように、被洗浄物を収納する洗浄槽１０１と、洗浄水を噴射する洗浄ノズル１０２と洗浄水を加圧する洗浄ポンプ１０３を有する洗浄手段１０４と、洗浄水を加熱する加熱手段であるヒータ１０５と、洗浄槽１に外気を送風する送風手段であるファン１０６と、洗浄槽１０１内部の空気を排気する排気口１０７と、排気口１０７に設けた外気を混合させる排気補助手段１０８から構成されている。そして、ファン１０６により洗浄槽１０１内に外気が取り込まれることにより排気口１０７から排気される洗浄槽１０１内部の空気に排気補助手段１０８から取り込んだ外気を混合させることで、排気口１０７から排気される排気中の温度と湿度を下げている。
【特許文献１】特開２００８−０１８２２５号公報
【発明の開示】
【発明が解決しようとする課題】
【０００４】
しかしながら、前記従来の構成では、排気口１０７から排気される空気を低温低湿化できるので使い勝手がよく効率性を向上させた食器洗い乾燥機を実現できる反面、洗浄槽１０１内部の空気を排気する排気口１０７の温度と前記洗浄槽１０１内部の温度には差があり、前記排気口１０７より排出される排気温度より前記洗浄槽１０１内部の温度の方が高く、前記排気口１０７より排出される排気の温度が前記洗浄槽１０１内部の温度と勘違いし、被洗浄物を取出そうとすると高温の洗浄槽１０１と被洗浄物に触れる危険があるという新たな課題を有していた。
【０００５】
本発明は、前記従来の課題を解決するもので、製品筐体内に温度検知手段を設け、前記温度検知手段により洗浄槽内部の温度を検知し、製品前面に洗浄槽内部の温度を表示することにより、製品の使用者の安全性の向上が可能となる食器洗い乾燥機を提供することを目的としている。
【課題を解決するための手段】
【０００６】
本発明は上記目的を達成するために、第１の経路を介して洗浄槽内に外気を供給する送風手段と、前記洗浄槽内の空気を筐体外に排出する排気口と前記洗浄槽とを連通する第２の経路と、前記第１の経路から分岐して前記第２の経路と接続する第３の経路と、前記第１の経路から前記第３の経路が分岐する分岐部に設けられた風量分配手段と、前記筐体内に設けられ前記洗浄槽内の温度を検知する温度検知手段と、温度表示部とを備え、前記温度表示部は、食器洗い乾燥機の前面に設けるとともに、前記温度検知手段が検知した前記洗浄槽内の温度を表示するようにしたものである。
【０００７】
これにより、乾燥性能と排気口付近の結露低減機能と低温低湿排気を維持し、かつ、洗浄槽内の温度を表示することにより、使用者が洗浄槽内の温度を把握することができ、製品の使用者の安全性、効率性の向上が可能となるものである。
【発明の効果】
【０００８】
本発明の食器洗い乾燥機は、乾燥性能と排気口付近の結露低減機能と低温低湿排気を維持し、かつ、洗浄槽内の温度を表示することにより、使用者が洗浄槽内の温度を把握することができ、製品の使用者の安全性、効率性の向上が可能となる。
【発明を実施するための最良の形態】
【０００９】
第１の発明は、筐体と、前記筐体内に設けられるとともに被洗浄物が収納される洗浄槽と、前記洗浄槽内の洗浄水を加熱する加熱手段と、前記洗浄槽内の空気を前記筐体外に排出する排気口と、第１の経路を介して前記洗浄槽内に外気を供給する送風手段と、前記排気口と前記洗浄槽とを連通する第２の経路と、前記第１の経路から分岐して前記第２の経路と接続する第３の経路と、前記第１の経路から前記第３の経路が分岐する分岐部に設けられた風量分配手段と、前記筐体内に設けられ前記洗浄槽内の温度を検知する温度検知手段と、温度表示部とを備え、前記温度表示部は、食器洗い乾燥機の前面に設けるとともに、前記温度検知手段が検知した前記洗浄槽内の温度を表示することにより、乾燥性能と排気口付近の結露低減機能と低温低湿排気を維持し、かつ、洗浄槽内の温度を表示することにより、使用者が洗浄槽内の温度を知ることができ、誤って高温状態で洗浄槽を開放し被洗浄物を取出すことがなくなり使用者の安全性向上が図れる。
【００１０】
第２の発明は、上記第１の発明において、温度表示部は、温度検知手段が所定の温度を検知した時、光による点灯もしくは点滅にて表される構成としたことにより、使用者が光の点灯または点滅により洗浄槽内の温度状態を知ることができ、高温状態での洗浄槽の開放がなくなり安全性向上につながる。
【００１１】
第３の発明は、上記第１または第２の発明において、温度表示部は、温度検知手段が所定の温度を検知した時、色分けされて表される構成としたことにより、洗浄槽内の温度状態を安全・注意・警告レベルに温度範囲を設定し、設定した温度範囲に応じて光の色により洗浄槽内の温度状態を知らせることにより、安全温度を確認することができ、安全状態を確認してから洗浄槽内を開放し被洗浄物を取出すことができ安全性向上が図れる。
【００１２】
第４の発明は、上記第１〜第３の発明において、温度表示部は、排気口より排出される空気の温度と洗浄槽内の温度との差を表示する構成としたことにより、排気口から排出される低温低湿の空気を洗浄槽内の温度と勘違いを抑制することができ、使用者の安全性向上につながる。
【００１３】
以下、本発明の実施の形態について、図面を参照しながら説明する。なお、この実施の形態によって本発明が限定されるものではない。
【００１４】
（実施の形態１）
図１は本発明の第１の実施の形態の食器洗い乾燥機の構成を示す断面図、図２は同食器洗い乾燥機の温度表示部の正面図、図３は同食器洗い乾燥機の温度表示部の他の例の要部拡大図、図４は同食器洗い乾燥機の風量分配手段の斜視図である。図１において、食器１などの被洗浄物を収納する洗浄槽２は、前面に開口を有する食器洗い乾燥機の筐体８に対し、左右一対設けたレールにより前後方向に出し入れ可能に支持されている。
【００１５】
洗浄槽２内の底部には、洗浄水を食器１などの被洗浄物に噴出する洗浄ノズル３と、洗
浄水を加圧する洗浄ポンプ４と、洗浄水を加熱し昇温させる加熱手段であるヒータ５を配置している。
【００１６】
また、送風手段であるファン６を洗浄槽２の外壁底部に設け、洗浄槽２内の空気を排出して洗浄槽２内を乾燥させるため、洗浄槽２内に外気を送風する。洗浄槽２の前面には前面パネル１９が取り付けてあり、洗浄槽２内の空気を排出する排気口７を前面パネル１９の前面上部に有し、洗浄槽２の前面下方に外気を流入させる流入口９を設け、洗浄槽２内壁前面上方には洗浄槽２内の空気を排出させる流出口２０を設けている。
【００１７】
また、洗浄槽２の底面外壁に洗浄槽２内の温度を検知する温度検知部１０を設け、その温度検知部１０で検知した洗浄槽２内の温度を表示する温度表示部１１を前面パネル１９の上部前面に設けている。また、洗浄行程、すすぎ行程、乾燥行程の各行程を制御する制御手段１２が洗浄槽２の前面外壁と前面パネル１９の間の空間に洗浄槽２の前面外壁に固定して設けられている。
【００１８】
ファン６と洗浄槽２とを連通する第１の経路１３を洗浄槽２の底部の外壁に設け、第１の経路１３から流入口９を通じ、ファン６から洗浄槽２内に外気を供給する。また、排気口７と流出口２０とを連通する第２の経路１４を通じ、洗浄槽２内の空気を排気口７から排気する。また、第１の経路１３から分岐して第２の経路１４に接続する第３の経路１５を洗浄槽２の前面と前面パネル１９の間の空間に洗浄槽２に固定して略鉛直方向に設け、ファン６から第２の経路１４に外気を供給している。
【００１９】
また、第２の経路１４と第３の経路１５とが交差する混合部１６で、洗浄槽２内から排気された空気と外気とを混合させる構成としている。この混合部１６は、流出口２０から第２の経路１４を経て流出されてくる洗浄槽２内の空気と第３の経路１５を経て取り込まれる外気とを十分に混合して低温低湿化するためのもので、排気口７から食器洗い乾燥機の前方に排気されても使用者に危険が及ばない程度に低温低湿化するに足る容積を持たせてある。
【００２０】
第１の経路１３から第３の経路１５が分岐する箇所には、図４に示すような風量分配手段２１を設けており、ファン６から供給される外気の風圧により、風量分配手段２１の第１の調節弁１７および第２の調節弁１８の開度をそれぞれ連動して変化させて、混合部１６における外気と洗浄槽２内から排気された空気との混合割合を変化させるようにしている。具体的には、風量分配手段２１は、第２の調節弁１８の開度が増大すると、第１の調節弁１７は開度が低減するように構成されている。
【００２１】
また、流入口９は、洗浄時の洗浄槽２内の水位よりも下に設置することにより、流入口９を洗浄槽２内の洗浄水により封鎖することができるため、調整弁から経路、洗浄槽２内へと漏れる外気をより確実に低減することができる。
【００２２】
また、洗浄槽２内の温度を検知する温度検知手段１０を、食器洗い乾燥機の運転時には筐体８内に位置する洗浄槽２の底面外壁に設け、温度検知手段１０が所定の温度、例えば洗浄槽２内に蒸気が発生し排気口７近傍に結露が付着しやすい温度である５０℃を検知すると、ファン６が駆動するよう制御手段１２を動作させることにより、ファン６は運転する必要のない行程中では停止するため、より効率のよい食器洗い乾燥機の運転が可能になる。
【００２３】
また、洗浄槽２内の温度を検知する温度検知手段１０を筐体８内に設け、運転開始から洗浄槽２内の温度をモニターし、前面パネル１９の上部前面の温度表示部１１において、洗浄槽２内が４０℃以下なら青色が点灯もしくは点滅し安全状態であること知らせ、４０
℃〜５５℃以下なら黄色が点灯もしくは点滅し注意状態であることを知らせ、５５℃以上だと赤色が点灯もしくは点滅し警告状態であることを知らせるように、温度検知手段１０からの温度検知情報に基づいて制御手段１２が温度表示部１１の表示を洗浄槽２内の空気の温度に対応して変化させる構成としている。
【００２４】
温度表示部１１の具体構成は、図２に示すように、発光ダイオードを複数並べて構成した発光ダイオード表示部１１ａと液晶表示部１１ｂとから構成している。発光ダイオード表示部１１ａは、青色、黄色、赤色にそれぞれ発光する単色発光ダイオードを３つのグループに分けて前面パネル１９の最上部に横方向に並べて配置してもよいし、多色に発光可能な発光ダイオードを並べて、洗浄槽２内の温度に対応させて発光させる色を変えるようにしてもよい。液晶表示部１１ｂは、前面パネル１９の左上部の排気口７の下側に液晶によって洗浄槽内２の温度の数値をディジタル表示する構成として、上記のように、洗浄槽２内の温度に対応して、表示色を変えて表示できるカラー液晶表示素子を使用している。
【００２５】
このようにすることによって、外気混合による低温低湿排気のため排気口７から出てくる空気の温度と洗浄槽２内の温度に差があるので使用者が勘違いしないように常に洗浄槽２内の温度表示し、洗浄槽２内の温度モニター運転終了後も行い、安全状態になったことを知らせ、被洗浄物の食器１を安全に取り出しを行えるようにして、使用者の誤認識を抑制でき安全性の高い食器洗い乾燥機の運転が可能としている。
【００２６】
以上のように構成された食器洗い乾燥機について、以下その動作、作用を説明する。まず、筐体８から洗浄槽２を引き出して被洗浄物である食器１を洗浄槽２内に収納し、洗浄槽２を筐体８内に戻して洗浄を開始する。ヒータ５および洗浄ポンプ４の運転により洗浄ノズル３から温水を噴出させて被洗浄物である食器１に噴きつける。洗浄水が噴出する反力で洗浄ノズル３が回転することで被洗浄物の食器１に洗浄水を行き渡らせ、洗浄性を高めている。
【００２７】
洗浄行程において、運転開始から温度表示部１１が青色点灯または点滅し、ヒータ５が洗浄水を加熱することにより、温度検知手段１０が検出した洗浄槽２内の温度が４０℃以上になると温度表示部１１が黄色点灯または点滅し、洗浄槽２内の空気の温度が一定の温度、たとえば排気口７において結露が発生しやすい５０℃程度となるとファン６が運転する。このとき、ファン６は制御手段１２により間欠運転にて送風するため送風量は少なく、第１の調節弁１７に送る空気の風圧を制限している。
【００２８】
第１の調節弁１７は、受ける風圧が自重よりも低い場合、第１の調節弁１７は略水平の状態であり、第１の経路１３を閉塞し、ファン６から供給される空気のほとんどが第３の経路１５へと送られる。これにより、ヒータ５によって加熱された洗浄水が洗浄槽２内の空気を熱するので、流出口２０より高温高湿の空気が排出される。この高温高湿の空気は、混合部１６において、ファン６から第３の経路１５を通って送られる外気と混合し、温度および湿度が低減された空気となって排気口７より排出される。この時の排気口７より排出される空気の温度と洗浄槽２内の温度には差があるため、不用意に洗浄槽２を引き出してしまうと危険なので、温度表示部１１を赤色点灯または点滅をさせ使用者に警告を促す。
【００２９】
洗浄行程において、ヒータ５を運転して温水で洗浄する場合を示したが、被洗浄物の汚れが少ない場合はヒータ５を運転させずに給水温度で洗浄すれば良く、また被洗浄物の汚れが多い場合、食器１などに油汚れがこびりついている場合などは、洗剤を入れて洗浄を行う。この場合でも同様に、庫内温度が一定の温度となれば、ファン６は間欠運転をする。以上のようにして洗浄行程が終了する。
【００３０】
次に行うすすぎ行程では洗剤を投入せずに、洗浄行程と同様に給水し、ヒータ５および洗浄ポンプ４の運転により、洗浄ノズル３から温水を噴出させて被洗浄物である食器１に噴きつけ循環させる。すすぎ行程においても洗浄行程と同様に、温度検知手段１０が一定の温度を検知した後、ファン６の間欠運転を行うことで、高温高湿の洗浄槽２内空気と外気とを混合し、排気口７より排出される空気の温度と湿度を低減し、温度表示部１１も洗浄槽２内の温度にあわせて点灯または点滅をさせる。
【００３１】
なお、このすすぎ運転の後に行う乾燥行程においては、被洗浄物を短時間で効率的に乾かす行程のため、最終すすぎ運転では被洗浄物を暖めておくのが好ましい。したがって、最終のすすぎ運転は、６０℃〜７０℃程度の高温水にて実施され、除菌処理も行うことができる。すすぎ運転終了後は洗浄運転終了時と同様に洗浄槽２内のすすぎ水を排水する。
【００３２】
乾燥行程においても洗浄槽２内の温度を温度検知手段１０によってモニターし、温度表示部１１を点灯または点滅させ、乾燥行程終了後３０分間は洗浄槽２内の温度のモニターを続け、温度検知手段１０が検出した洗浄槽２内の温度に対応して温度表示部１１の表示を変化させる。
【００３３】
なお、本実施の形態では、温度表示部１１は、図２に示すように、発光ダイオードを複数並べた発光ダイオード表示部１１ａと液晶表示部１１ｂとを併用する構成としたが、図３（ａ）に示すように液晶表示部１１ｂのみとしたり、図３（ｂ）に示すように発光ダイオード表示部１１ａのみの構成としてもよい。
【００３４】
また、本実施の形態では、温度表示部１１の発光ダイオード表示部１１ａは、洗浄槽２内の温度に対応して、表示色を変えて表示するようにしているが、点滅の速度を変える方法でも良く、この方法によれば単色の発光ダイオードで構成できるので、より安価に実現することができる。
【００３５】
以上のように、本実施の形態の食器洗い乾燥機によれば、洗浄、すすぎ、乾燥の各行程において、温度表示部１１の表示を排気口７より排気される排気の温度ではなく、洗浄槽２内の空気の温度を表示し、さらにその表示を洗浄槽２内の空気の温度に対応して変化させるようにしたので、被洗浄物の食器１を安全に取り出しを行えるようにして、使用者の誤認識を抑制でき、安全性の高い食器洗い乾燥機の運転が可能となる。
【００３６】
（実施の形態２）
本実施の形態では、実施の形態１の構成に加えて、排気口７より排気される排気の温度を検知する排気温度検知手段（図示せず）を排気口７の近傍に配設してある。その他の構成は実施の形態１と同様である。制御手段１２は、温度検知手段１０からの洗浄槽２内の空気の温度情報と排気温度検知手段からの排気口７より排出される空気の温度情報とからその差の温度を演算して、図２の表示装置１１の液晶表示部１１ｂに表示させる。また、制御手段１２は、実施の形態１と同様に、洗浄槽２内の空気の温度を表示装置１１の発光ダイオード表示部１１ａに表示させる。
【００３７】
したがって、本実施の形態の食器洗い乾燥機によれば、温度表示部１１の表示を排気口７より排気される排気の温度ではなく、洗浄槽２内の空気の温度を表示し、さらにその表示を洗浄槽２内の空気の温度に対応して変化させるようにしたのに加えて、排気口７より排出される空気の温度と洗浄槽２内の温度との差も表示するようにしたので、使用者の誤認識をさらに効果的に抑制でき、より安全性の高い食器洗い乾燥機の運転が可能となる。
【産業上の利用可能性】
【００３８】
本発明に係る食器洗い乾燥機は、乾燥性能と排気口付近の結露低減機能と低温低湿排気
を維持し、かつ、洗浄槽内の温度表示することにより、使用者が洗浄槽内の温度を把握することができ、製品の使用者の安全性、効率性の向上が可能となるので、低温低湿排気機能を有する食器洗い乾燥機等の家庭用機器として有用である。
【図面の簡単な説明】
【００３９】
【図１】本発明の実施の形態１における食器洗い乾燥機の構成を示す断面図
【図２】同食器洗い乾燥機の温度表示部の正面図
【図３】（ａ）同食器洗い乾燥機の温度表示部の他の例の要部拡大図（ｂ）同食器洗い乾燥機の温度表示部のさらなる他の例の要部拡大図
【図４】同食器洗い乾燥機の風量分配手段の斜視図
【図５】従来の食器洗い乾燥機の構成を示す断面図
【符号の説明】
【００４０】
１  食器（被洗浄物）
２  洗浄槽
３  洗浄ノズル
４  洗浄ポンプ
５  ヒータ（加熱手段）
６  ファン（送風手段）
７  排気口
８  筐体
９  流入口
１０  温度検知手段
１１  温度表示部
１１ａ  発光ダイオード表示部
１１ｂ  液晶表示部
１２  制御手段
１３  第１の経路
１４  第２の経路
１５  第３の経路
１６  混合部
１７  第１の調節弁
１８  第２の調節弁
１９  前面パネル
２０  流出口
２１  風量分配手段
【図１】
2010136792.tif 000003
【図２】
2010136792.tif 000004
【図３】
2010136792.tif 000005
【図４】
2010136792.tif 000006
【図５】
2010136792.tif 000007